(57)【特許請求の範囲】
【請求項１】
第１の刃物収納具および第２の刃物収納具を備える刃物収納具セットであって、
前記第１の刃物収納具は、
刃物の刀身を収納する第１の孔が形成された第１のケースと、
前記第１の孔の延びる方向と交わる方向へ前記第１のケースから突出するツバ状の第１凸部と、を有し、
前記第２の刃物収納具は、
刃物の刀身を収納する第２の孔が形成された第２のケースと、
前記第２の孔の延びる方向と交わる方向へ向き、前記第１凸部と嵌合可能な形状を有する溝状の第１凹部と、を有し、
前記第１凸部は、前記第１の孔の延びる方向から平面視したときに、
第１辺と、
前記第１の孔を挟んで前記第１辺と対向する第２辺と、
前記第１辺と前記第２辺との間に位置する第３辺と、を有し、
前記第１辺と前記第２辺との間の距離は、前記第３辺に近づくにしたがって大きくなる、
刃物収納具セット。
【請求項２】
前記第１凸部は、前記第１のケースの外側において一方向から他方向にわたって突出する、
請求項１に記載の刃物収納具セット。
【請求項３】
前記第１凹部は、前記第２のケースの外側において一方向から他方向にわたって形成される、
請求項１または請求項２に記載の刃物収納具セット。
【請求項４】
前記第１凸部は、略水平に突出し、
前記第１凹部は、略水平に形成される、
請求項１から請求項３のいずれか１項に記載の刃物収納具セット。
【請求項５】
前記第２の刃物収納具は、
前記第２の孔の延びる方向と交わる方向へ前記第２のケースから突出するツバ状の第２凸部と、
前記第２凸部が突出する方向と略同じ方向へ、前記第２凸部と略平行に突出するツバ状の第３凸部と、をさらに有し、
前記第１凹部は、前記第２凸部と前記第３凸部との間に形成される、
請求項１から請求項４のいずれか１項に記載の刃物収納具セット。
【請求項６】
前記第１の刃物収納具は、
前記第１凸部が突出する方向と略同じ方向へ、前記第１凸部と略平行に突出するツバ状の第４凸部と、
前記第１凸部と前記第４凸部との間に形成される溝状の第２凹部と、をさらに有する、
請求項１から請求項５のいずれか１項に記載の刃物収納具セット。
【請求項７】
前記第１のケースの一端から前記第１凸部までの距離と、前記第２のケースの一端から前記第１凹部までの距離とが略同じである、
請求項１から請求項６のいずれか１項に記載の刃物収納具セット。
【発明の詳細な説明】
【技術分野】
【０００１】
本発明の一態様は、刃物を収納する刃物収納具等のセットに関する。
【背景技術】
【０００２】
従来、包丁を収納する包丁差しは、包丁を立てた状態で差し込むことで、包丁を保持するような構成となっているものが多い。また、包丁の刃側を下向きにした寝かせた状態で、包丁を保持する構成となっているものもある。このような包丁差しは、特許文献１〜特許文献５などに開示されている。
【先行技術文献】
【特許文献】
【０００３】
【特許文献１】特許第６５６９９２８号公報
【特許文献２】特開２０１９−７７０３０号公報
【特許文献３】登録実用新案第３０８７６８３号公報
【特許文献４】登録実用新案第３１９９１４２号公報
【特許文献５】公実昭６１−１００３４８号公報
【発明の概要】
【発明が解決しようとする課題】
【０００４】
包丁差しは、家庭やレストランのキッチンに置かれることが多い。従来の包丁差しは、単に１本から数本の一定本数の包丁を収納する機能を有するだけで、複数の包丁差しを連結したり分離したりすることで、ユーザの好み及び使用状況に合わせて使い分けることができる包丁差しが提供されてなかった。また、外観にこだわったものは少なく、キッチンに置かれたインテリアという考え方はあまりなかった。しかしながら、キッチンに置かれる包丁を含む調理用具は、単なる調理用具で有るだけで無く、キッチンを彩るインテリアになるため、このような調理用具を美感に優れたものとすることで、キッチンを楽しい空間にすることができる。また、機能的にも遊び心をもったものとすることで、キッチンをさらに楽しい空間にすることができる。本発明は、ユーザの好み及び使用状況に合わせて使い分けることができ、キッチンをより楽しい空間にするためのインテリアとして、美感に優れるとともに遊び心のある機能を有する刃物収納具のセットを提供することを目的とする。
【課題を解決するための手段】
【０００５】
本発明は、上記課題を解決するため、次のような構成の刃物収納具及び刃物収納具セットを提供する。なお、以下の説明において、発明の理解を容易にするために図面中の符号等を括弧書きで付記する場合があるが、本発明の各構成要素はこれらの具体的な構成に限定されるものではなく、当業者が技術的に理解しうる範囲にまで広く解釈されるべきものである。【０００６】
本発明の一の手段は、
第１の刃物収納具（１）および第２の刃物収納具（２）を備える刃物収納具セット（５）であって、
前記第１の刃物収納具は、
刃物（３）の刀身を収納する第１の孔（１１ａ）が形成された第１のケース（１１）と、
前記第１の孔の延びる方向と交わる方向へ前記第１のケースから突出するツバ状の第１凸部（１４ｂ）と、を有し、
前記第２の刃物収納具は、
刃物（４）の刀身を収納する第２の孔（１１ａ）が形成された第２のケース（１１）と、
前記第２の孔の延びる方向と交わる方向へ向き、前記第１凸部と嵌合可能な形状を有する溝状の第１凹部（２５ａ）と、を有する、
刃物収納具セットである。【０００７】
上記構成の、包丁やキッチンばさみ等を収納する刃物収納具セットによれば、第１の刃物収納具と第２の刃物収納具とを機械的に連結したり、分離したりすることができるので、ユーザの好み及び使用状況に合うように複数の刃物収納具を組み合わせて収納可能な刃物数を調整することができる。さらに、複数の刃物を収納する刃物収納具セットを、玩具のブロックを組み合わせるような遊び感覚で構築することができる。また、第１の刃物収納具と第２の刃物収納具とを互いに連結させて配置させることができるので、複数の刃物収納具をそれぞれ独立に配置する場合と比べて、第１の刃物収納具と第２の刃物収納具とが全体的にまとまった印象をユーザに与えることができる。これにより、美感に優れた刃物収納具セットを提供することができる。したがって、ユーザの好み及び使用状況に合わせて刃物収納具を組み合わせることができるとともに、刃物収納具を、単に包丁を収納する機能を有する包丁差しから、刃物を収納しつつ遊び心を持ったインテリアに変身させることができる。また、ツバと溝との嵌合により、第１の刃物収納具と第２の刃物収納具との連結角度を自在に変更することができる。これにより、例えば、上記の連結角度をユーザの嗜好に合った角度にすることができるので、刃物収納具セットの美感を向上させることができる。【０００８】
上記刃物収納具セットにおいて、好ましくは、
前記第１凸部は、前記第１のケースの外側において一方向から他方向にわたって突出する。【０００９】
上記構成の刃物収納具セットによれば、第１凸部の突出方向を一方向から他方向まで広げた構成により、第１の刃物収納具と第２の刃物収納具との連結角度の変更可能範囲を広げることができる。【００１０】
上記刃物収納具セットにおいて、好ましくは、
前記第１凹部は、前記第２のケースの外側において一方向から他方向にわたって形成される。【００１１】
上記構成の刃物収納具セットによれば、第１凹部の形成方向を一方向から他方向まで広げた構成により、第１の刃物収納具と第２の刃物収納具との連結角度の変更可能範囲を広げることができる。【００１２】
上記刃物収納具セットにおいて、好ましくは、
前記第１凸部は、前記第１の孔の延びる方向から平面視したときに、
第１辺（１６ａ）と、
前記第１の孔を挟んで前記第１辺と対向する第２辺（１６ｂ）と、
前記第１辺と前記第２辺との間に位置する第３辺（１６ｃ）と、を有し、
前記第１辺と前記第２辺との間の距離は、前記第３辺に近づくにしたがって大きくなる。【００１３】
上記構成の刃物収納具セットによれば、たとえば、第１の刃物収納具を横向きにして台などに載置させる際に、長さの長い第３辺を当該台に当接させることができるので、第２の刃物収納具と連結させなくても第１の刃物収納具を横向きにして台の上に安定的に載置させることができる。また、第１の刃物収納具と第２の刃物収納具とが連結された状態でも、長さの長い第３辺を当該台に当接させ、刃物収納具セットを横向きにして台の上に安定的に載置させることができる。【００１４】
上記刃物収納具セットにおいて、好ましくは、
前記第１凸部は、略水平に突出し、
前記第１凹部は、略水平に形成される。【００１５】
上記構成の刃物収納具セットによれば、水平に突出したツバと水平に形成された溝との嵌合により、例えば、第１の刃物収納具と第２の刃物収納具とを略水平の台上に自立させた状態で第１の刃物収納具と第２の刃物収納具との連結角度を自在に変更することができる。これにより、例えば、第１の刃物収納具及び第２の刃物収納具を美感の優れた連結角度で台の上に安定的に載置させることができる。【００１６】
上記刃物収納具セットにおいて、好ましくは、
前記第２の刃物収納具は、
前記第２の孔の延びる方向と交わる方向へ前記第２のケースから突出するツバ状の第２凸部（２４ａ）と、
前記第２凸部が突出する方向と略同じ方向へ、前記第２凸部と略平行に突出するツバ状の第３凸部（２４ｂ）と、をさらに有し、
前記第１凹部は、前記第２凸部と前記第３凸部との間に形成される。【００１７】
上記構成の刃物収納具セットによれば、第１凹部だけでなく、第２凸部及び第３凸部の少なくとも一方も第１の刃物収納具の凹部との嵌合に用いることができるので、第１の刃物収納具との連結を強固にすることができる。また、略平行に並んだ２つのツバによってヒダ状の外観が形成され、刃物収納具セットの美観を向上させることができる。【００１８】
上記刃物収納具セットにおいて、好ましくは、
前記第１の刃物収納具は、
前記第１凸部が突出する方向と略同じ方向へ、前記第１凸部と略平行に突出するツバ状の第４凸部（１４ａ）と、
前記第１凸部と前記第４凸部との間に形成される溝状の第２凹部（１５ａ）と、をさら有する。【００１９】
上記構成の刃物収納具セットによれば、第１凸部だけでなく、第２凹部も第２の刃物収納具の凸部との嵌合に用いることができるので、第２の刃物収納具との連結を強固にすることができる。また、略平行に並んだ２つのツバによってヒダ状の外観が形成され、刃物収納具セットの美観を向上させることができる。【００２０】
上記刃物収納具セットにおいて、好ましくは、
前記第１のケースの一端から前記第１凸部までの距離と、前記第２のケースの一端から前記第１凹部までの距離とが略同じである。【００２１】
上記構成の刃物収納具セットによれば、第１の刃物収納具と第２の刃物収納具とを連結したときに、第１のケースの一端と第２のケースの一端とを揃えることができるので、第１の刃物収納具及び第２の刃物収納具を安定的に自立させたり、壁際にコンパクトに寝かして配置したりすることができる。また、端が揃っていることによって全体的に整った印象をユーザに与えることができるので、刃物収納具セットの美感を向上させることができる。
【図面の簡単な説明】
【００２２】
【図１】図１は、本実施形態の台所用品の構成を示す図である。
【図２】図２は、本実施形態の第１刃物収納具の斜視図である。
【図３】図３は、本実施形態の第１刃物収納具をｙ軸−側から見た平面図である。
【図４】図４は、本実施形態の第１刃物収納具をｘ軸＋側から見た平面図である。
【図５】図５は、本実施形態の第１刃物収納具をｚ軸＋側から見た平面図である。
【図６】図６は、本実施形態の略直角に連結された２つの刃物収納具をｚ軸＋側から見た平面図である。
【図７】図７は、本実施形態における筒部材の長孔の長軸が平行になるように連結された２つの刃物収納具をｚ軸＋側から見た平面図である。
【発明を実施するための形態】
【００２３】
本発明の一形態の第１刃物収納具は、刃物の刀身を収納する孔が形成されたケースと、孔の延びる方向と交わる方向へケースから突出する第１凸部と、を備え、第２刃物収納具の凹部と脱着可能に嵌合する構成となっている点を特徴のひとつとする。
【００２４】
本発明の刃物収納具について、図面を参照しながら具体的に説明する。ただし、以下で説明する実施形態及び実施例はあくまで本発明の一例にすぎず、本発明の技術的範囲を限定的に解釈させるものではない。なお、各図面において、同一の構成要素には同一の符号を付しており、その説明を省略する場合がある。
【００２５】
＜１．実施形態＞
＜（１）台所用品１００の構成＞
図１は、本実施形態の台所用品の構成を示す図である。各図面にはｘ軸、ｙ軸およびｚ軸を示している。重力の方向の反対方向へ向いている軸を「ｚ軸」と定義する。ｚ軸に垂直な軸を「ｙ軸」と定義する。また、ｙ軸およびｚ軸の両方に垂直な軸を「ｘ軸」と定義する。ここでは、ｘ軸、ｙ軸およびｚ軸は、右手系の３次元の直交座標を形成する。以下、ｚ軸の矢印方向をｚ軸＋側、矢印とは逆方向をｚ軸−側と呼ぶことがあり、その他の軸についても同様である。なお、ｚ軸＋側及びｚ軸−側を、それぞれ「上側」及び「下側」と呼ぶこともある。
【００２６】
図１に示されるように、本実施形態の台所用品１００は、刃物収納具セット５、第１包丁３及び第２包丁４を含んで構成される。刃物収納具セット５は、第１刃物収納具１及び第２刃物収納具２を含んで構成される。以下、第１包丁３及び第２包丁４の各々を、単に包丁と称することがある。包丁は、例えば、三徳包丁、出刃包丁、柳葉包丁、薄刃包丁、牛刀、またはペティナイフなどである。包丁は、柄と刀身とを有する。本実施形態では、第２包丁４のサイズは、第１包丁３のサイズより小さい。包丁は、本発明でいう「刃物」の一具体例である。
【００２７】
本実施形態の刃物収納具セット５は、第１刃物収納具１と第２刃物収納具２とが連結されることにより、自立可能に構成される。第１刃物収納具１は、第１包丁３の刀身を収納することによって第１包丁３を保持する。第２刃物収納具２は、第２包丁４の刀身を収納することによって第２包丁４を保持する。
【００２８】
＜（２）第１刃物収納具１の構成＞
第２刃物収納具２は、第１刃物収納具１とサイズが異なるが、同様の構成の刃物収納具であるため、ここでは、第１刃物収納具１について代表的に説明し、第２刃物収納具２についての説明を省略する。
【００２９】
図２は、本実施形態の第１刃物収納具の斜視図である。図３は、本実施形態の第１刃物収納具をｙ軸−側から見た平面図である。図４は、本実施形態の第１刃物収納具をｘ軸＋側から見た平面図である。図５は、本実施形態の第１刃物収納具をｚ軸＋側から見た平面図である。図１〜図５に示されるように、本実施形態の第１刃物収納具１は、筒部材１１、第１ツバ群１２及び第２ツバ群２２を含んで構成される。
【００３０】
＜筒部材１１＞
筒部材１１は、ｚ軸方向に略平行に延びる部材であり、例えば木材によって形成される。なお、筒部材１１は、樹脂または金属などの他の種類の素材によって形成される構成であってもよい。本実施形態では、筒部材１１の断面は、ｘ軸方向が長軸の略矩形の形状を有し、角が丸くなっている。筒部材１１の下側の端部には、ｘｙ面に略平行な底面１１ｃが形成される。筒部材１１の上側の端部には、ｘｙ平面に対して傾いた上面１１ｂが形成される。本実施形態では、上面１１ｂは、ｘ軸＋側への斜め上方へ向いている。なお、上面１１ｂは、ｘｙ面に略平行な面であってもよい。第１刃物収納具１の筒部材１１は、本発明でいう「第１のケース」の一具体例である。第２刃物収納具２の筒部材１１は、本発明でいう「第２のケース」の一具体例である。
【００３１】
筒部材１１には、包丁の刀身を収納する、ｘ軸方向を長軸とする長孔１１ａが形成される。長孔１１ａは、ｚ軸と略平行に延びて筒部材１１を貫通する孔であり、筒部材１１の上側及び下側の両方で開口する。長孔１１ａには、刀身の延びる方向がｚ軸と略平行となった状態で包丁が挿入される。なお、長孔１１ａは、上側及び下側のいずれか一方だけが開口する非貫通の孔であってもよい。第１刃物収納具１の長孔１１ａは、本発明でいう「第１の孔」の一具体例である。第２刃物収納具２の長孔１１ａは、本発明でいう「第２の孔」の一具体例である。
【００３２】
＜第１ツバ群１２及び第２ツバ群２２＞
第１ツバ群１２は、ツバ部材１３ａ、１３ｂ、１３ｃ及び１３ｄを含んで構成される。第２ツバ群２２は、ツバ部材２３ａ、２３ｂ、２３ｃ及び２３ｄを含んで構成される。以下、ツバ部材１３ａ、１３ｂ、１３ｃ及び１３ｄの各々をツバ部材１３と称することがある。ツバ部材２３ａ、２３ｂ、２３ｃ及び２３ｄの各々をツバ部材２３と称することがある。
【００３３】
ツバ部材１３及び２３は、筒部材１１の長孔１１ａの延びる方向と交わる方向へ筒部材１１から突出する。本実施形態では、ツバ部材１３及び２３は、ｚ軸と略直交する方向へ突出する板状の部材である。言い換えると、ツバ部材１３及び２３は、底面１１ｃと平行なｘｙ平面に沿って延在する板状の部材である。
【００３４】
ツバ部材１３は、例えば木材によって形成される。なお、ツバ部材１３は、樹脂または金属などの他の種類の素材によって形成される構成であってもよい。ツバ部材１３は、ｚ軸＋側から平面視したときに、ｙ軸に平行な２つ底辺を有する略等脚台形の形状を有する（図５参照）。詳細には、ツバ部材１３は、ｚ軸＋側から平面視したときに、長孔１１ａのｙ軸＋側に位置する第１辺１６ａと、長孔１１ａを挟んで第１辺１６ａと対向する第２辺１６ｂと、長孔１１ａのｘ軸−側において第１辺１６ａと第２辺１６ｂとの間に位置する第３辺１６ｃと、長孔１１ａを挟んで第３辺１６ｃと対向する第４辺１６ｄと、を有する。本実施形態では、第１辺１６ａと第２辺１６ｂとの間の距離は、第３辺１６ｃに近づくにしたがって大きくなる。すなわち、ツバ部材１３では、ｘ軸＋側の底辺である第４辺１６ｄの長さは、ｘ軸−側の底辺である第３辺１６ｃの長さと比べて短い。言い換えると、ツバ部材１３では、ｘ軸−側の底辺である第３辺１６ｃの長さは、ｘ軸＋側の底辺である第４辺１６ｄの長さと比べて長い。このため、ツバ部材１３の第３辺１６ｃが下側になるように第１刃物収納具１を台上に載置するときに、ツバ部材１３ａの第３辺１６ｃと、筒部材１１の上面１１ｂのｘ軸−側の端部とが台に当接する。このように、第１刃物収納具１を横に倒して台上に載置するときに、ツバ部材１３ａの長い底辺が台に接する構成により、当該底辺を安定保持部として機能させ、第１刃物収納具１を倒れにくくすることができるので、第１刃物収納具１を安定的に台上に載置させることができる。
【００３５】
ツバ部材１３ａ、１３ｂ、１３ｃ及び１３ｄは、上側から下側に向かってこの順に位置する。このとき、ツバ部材１３ａとツバ部材１３ｂとの間には、ツバ部材２３ａを配置可能な程度の間隔が空けられる。ツバ部材１３ｂとツバ部材１３ｃとの間には、ツバ部材２３ｂを配置可能な程度の間隔が空けられる。ツバ部材１３ｃとツバ部材１３ｄとの間には、ツバ部材２３ｃを配置可能な程度の間隔が空けられる。
【００３６】
本実施形態では、ツバ部材１３ａ、１３ｂ、１３ｃ及び１３ｄは、それぞれ筒部材１１が貫通した状態で配置される。つまり、ツバ部材１３ａ、１３ｂ、１３ｃ及び１３ｄの各々は、筒部材１１の全周からはみ出すように突出している。また、ツバ部材１３ａ、１３ｂ、１３ｃ及び１３ｄは、ｚ軸＋側から平面視したときに、各ツバ部材１３の外形が重なるように配置される（図５参照）。
【００３７】
ツバ部材２３は、例えば、ツバ部材１３と同じ素材から形成される。なお、ツバ部材２３は、ツバ部材１３の素材と異なる素材から形成される構成であってもよい。ツバ部材２３は、ツバ部材１３と略同じ形状及び略同じ厚さを有する。詳細には、ツバ部材２３は、ｚ軸＋側から平面視したときに、長孔１１ａのｙ軸−側に位置する第１辺２６ａと、長孔１１ａを挟んで第１辺２６ａと対向する第２辺２６ｂと、長孔１１ａのｘ軸＋側において第１辺２６ａと第２辺２６ｂとの間に位置する第３辺２６ｃと、長孔１１ａを挟んで第３辺２６ｃと対向する第４辺２６ｄと、を有する（図３及び図５参照）。本実施形態では、第１辺２６ａと第２辺２６ｂとの間の距離は、第３辺２６ｃに近づくにしたがって大きくなる。すなわち、ツバ部材２３では、ｚ軸＋側から平面視したときに、ｘ軸−側の底辺である第４辺２６ｄの長さが、ｘ軸＋側の底辺である第３辺２６ｃの長さと比べて短い（図３及び図５参照）。言い換えると、ツバ部材２３では、ｘ軸＋側の底辺である第３辺２６ｃの長さは、ｘ軸−側の底辺である第４辺２６ｄの長さと比べて長い。このため、ツバ部材２３の第３辺２６ｃが下側になるように第１刃物収納具１を台上に載置するときに、ツバ部材１３の第３辺１６ｃが下側になるときと同様に第１刃物収納具１を倒れにくくすることができるので、第１刃物収納具１を安定的に台上に載置させることができる。
【００３８】
また、ツバ部材２３の第３辺２６ｃとツバ部材１３の第３辺１６ｃとは、長孔１１ａを挟んで互いに対向する位置にあるので、第１刃物収納具１を台上に載置させるときに、第３辺１６ｃ及び２６ｃのいずれを下側にしても第１刃物収納具１を台上に安定的に載置させることができる。
【００３９】
ツバ部材２３ａ、２３ｂ、２３ｃ及び２３ｄは、上側から下側に向かってこの順に位置する。ツバ部材２３ａは、ツバ部材１３ａとツバ部材１３ｂとの間に配置される。ツバ部材２３ｂは、ツバ部材１３ｂとツバ部材１３ｃとの間に配置される。ツバ部材２３ｃは、ツバ部材１３ｃとツバ部材１３ｄとの間に配置される。ツバ部材２３ｄは、ツバ部材２３ｃとの間にツバ部材１３ｄを配置可能な程度の間隔を空けて配置される。
【００４０】
本実施形態では、ツバ部材２３ａ、２３ｂ、２３ｃ及び２３ｄは、それぞれ筒部材１１が貫通した状態で配置される。つまり、ツバ部材２３ａ、２３ｂ、２３ｃ及び２３ｄの各々は、筒部材１１の全周からはみ出すように突出している。また、ツバ部材２３ａ、２３ｂ、２３ｃ及び２３ｄは、ｚ軸＋側から平面視したときに、各ツバ部材２３の外形が重なるように配置される（図５参照）。
【００４１】
本実施形態では、ｚ軸＋側から平面視したときに、ツバ部材２３のｘ軸＋側の端面が、ツバ部材１３のｘ軸＋側の端面よりｘ軸＋側に位置する（図５参照）。言い換えると、ｚ軸＋側から平面視したときに、ツバ部材１３のｘ軸−側の端面が、ツバ部材２３のｘ軸−側の端面よりｘ軸−側に位置する。このように、ツバ部材１３とツバ部材２３とをｘ軸方向にずらして配置しているため、第１刃物収納具１のｘ軸−側寄りにおいて、ツバ部材１３ａとツバ部材１３ｂとの間に、溝状の凹部１５ａが形成される。同様に、ツバ部材１３ｂとツバ部材１３ｃとの間には、溝状の凹部１５ｂが形成される。ツバ部材１３ｃとツバ部材１３ｄとの間には、溝状の凹部１５ｃが形成される。言い換えると、第１刃物収納具１のｘ軸−側寄りでは、ツバ部材１３ａ、１３ｂ、１３ｃ及び１３ｄは、それぞれツバ状の凸部１４ａ、１４ｂ、１４ｃ及び１４ｄを形成する。本実施形態では、凸部１４ａ、１４ｂ、１４ｃ及び１４ｄは、第１刃物収納具１のｘ軸−側寄りの筒部材１１の外側において、ｙ軸＋側からｘ軸−側を経由してｙ軸−側にわたって突出する。また、凹部１５ａ、１５ｂ及び１５ｃは、第１刃物収納具１のｘ軸−側寄りの筒部材１１の外側において、ｙ軸＋側からｘ軸−側を経由してｙ軸−側にわたって形成される。以下、凸部１４ａ、１４ｂ、１４ｃ及び１４ｄの各々を凸部１４と称することがある。凹部１５ａ、１５ｂ及び１５ｃの各々を凹部１５と称することがある。凹部１５ａは、本発明でいう「第２凹部」の一具体例である。凸部１４ａ及び１４ｂは、それぞれ本発明でいう「第４凸部」及び「第１凸部」の一具体例である。
【００４２】
また、第１刃物収納具１のｘ軸＋側寄りでは、ツバ部材２３ａとツバ部材２３ｂとの間に、溝状の凹部２５ａが形成される。同様に、ツバ部材２３ｂとツバ部材２３ｃとの間には、溝状の凹部２５ｂが形成される。ツバ部材２３ｃとツバ部材２３ｄとの間には、溝状の凹部２５ｃが形成される。言い換えると、第１刃物収納具１のｘ軸＋側寄りでは、ツバ部材２３ａ、２３ｂ、２３ｃ及び２３ｄは、それぞれツバ状の凸部２４ａ、２４ｂ、２４ｃ及び２４ｄを形成する。本実施形態では、凸部２４ａ、２４ｂ、２４ｃ及び２４ｄは、第１刃物収納具１のｘ軸＋側寄りの筒部材１１の外側において、ｙ軸−側からｘ軸＋側を経由してｙ軸＋側にわたって突出する。また、凹部２５ａ、２５ｂ及び２５ｃは、第１刃物収納具１のｘ軸＋側寄りの筒部材１１の外側において、ｙ軸−側からｘ軸＋側を経由してｙ軸＋側にわたって形成される。以下、凸部２４ａ、２４ｂ、２４ｃ及び２４ｄの各々を凸部２４と称することがある。凹部２５ａ、２５ｂ及び２５ｃの各々を凹部２５と称することがある。凹部２５ａは、本発明でいう「第１凹部」の一具体例である。凸部２４ａ及び２４ｂは、それぞれ本発明でいう「第２凸部」及び「第３凸部」の一具体例である。
【００４３】
図１に示されるように、第１刃物収納具１の凹部１５ａ、１５ｂ及び１５ｃは、それぞれ第２刃物収納具２の凸部２４ａ、２４ｂ及び２４ｃと嵌合可能な形状を有する（図１参照）。第２刃物収納具２の凹部２５ａ、２５ｂ及び２５ｃは、それぞれ第１刃物収納具１の凸部１４ｂ、１４ｃ及び１４ｄと嵌合可能な形状を有する（図１参照）。ここで、「嵌合可能」とは、所定のはめ合い公差で凹部と凸部とが嵌め合わされることをいう。本実施形態では、凸部と凹部とは、例えば、人力によって第１刃物収納具１と第２刃物収納具２とを連結させたり、分離させたりできる程度のはめ合い公差で嵌合する。
【００４４】
第１刃物収納具１及び第２刃物収納具２では、筒部材１１の底面１１ｃから凸部１４ｂまでの距離と、底面１１ｃから凹部２５ａまでの距離とが略同じである。同様に、底面１１ｃから凸部１４ｃまでの距離と、底面１１ｃから凹部２５ｂまでの距離とが略同じである。底面１１ｃから凸部１４ｄまでの距離と、底面１１ｃから凹部２５ｃまでの距離とが略同じである。
【００４５】
第１刃物収納具１及び第２刃物収納具２では、筒部材１１の底面１１ｃから凸部２４ａまでの距離と、底面１１ｃから凹部１５ａまでの距離とが略同じである。同様に、底面１１ｃから凸部２４ｂまでの距離と、底面１１ｃから凹部１５ｂまでの距離とが略同じである。底面１１ｃから凸部２４ｃまでの距離と、底面１１ｃから凹部１５ｃまでの距離とが略同じである。
【００４６】
第１刃物収納具１の底面１１ｃ及び第２刃物収納具２の底面１１ｃが、略水平な台に当接するように第１刃物収納具１及び第２刃物収納具２を載置したときに、凸部１４及び２４は、略水平に突出し、凹部１５及び凹部２５は、略水平に形成される。これにより、第１刃物収納具１と第２刃物収納具２とを連結させたときに、第１刃物収納具１の底面１１ｃと第２刃物収納具２の底面１１ｃとが台に密着するので、刃物収納具セット５を安定的に自立させることができる（図１参照）。
【００４７】
また、本実施形態では、第１刃物収納具１のｘ軸−側寄りにおいて、筒部材１１を囲むように凸部１４及び凹部１５が形成され、第２刃物収納具２のｘ軸＋側寄りにおいて、筒部材１１を囲むように凸部２４及び凹部２５が形成されている。このため、第１刃物収納具１の凸部１４が第２刃物収納具２の凹部２５に嵌る配置であれば、第１刃物収納具１と第２刃物収納具２とが連結する角度を自在に変更することができる。
【００４８】
図６は、本実施形態の略直角に連結された２つの刃物収納具をｚ軸＋側から見た平面図である。図６には、第１刃物収納具１の長孔１１ａの長軸（以下、第１長軸と称することがある。）と、第２刃物収納具２の長孔１１ａの長軸（以下、第２長軸と称することがある。）とのなす角度が略９０°となるように第１刃物収納具１と第２刃物収納具２とが連結された構成が示される。具体的には、第１刃物収納具１のｙ軸＋側に向いた凹部１５に、第２刃物収納具２の凸部２４が嵌っている。このように、連結角度を自在に変更して２つの刃物収納具を連結させることができるので、２つ刃物収納具を美感の優れた角度で台の上に載置させることができる。
【００４９】
図７は、本実施形態における第１長軸と第２長軸とが平行になるように連結された２つの刃物収納具をｚ軸＋側から見た平面図である。図７には、第１刃物収納具１のｙ軸−側に第２刃物収納具２が位置する例が示される。この場合、第１刃物収納具１の凸部１４及び凹部１５が、それぞれ第２刃物収納具２の凹部２５及び凸部２４に嵌るとともに、第１刃物収納具１の凸部２４及び凹部２５が、それぞれ第２刃物収納具２の凹部１５及び凸部１４に嵌る。なお、第１刃物収納具１のｙ軸＋側に第２刃物収納具２を連結させることも可能である。このように、第１長軸と第２長軸とが平行になるように２つの刃物収納具を連結させることもできるので、２つ刃物収納具を美感の優れた角度で台の上に載置させることができる。
【００５０】
＜２．本発明の特徴＞
以上、実施形態を例示して説明した本発明は、以下のような特徴を有する。
【００５１】
上記刃物収納具セット５では、第１刃物収納具１と第２刃物収納具２とを機械的に連結したり、分離したりすることができるので、ユーザの好み及び使用状況に合うように複数の刃物収納具を組み合わせて収納可能な刃物数を調整することができる。さらに、第１包丁３及び第２包丁４を収納する刃物収納具セット５を、玩具のブロックを組み合わせるような遊び感覚で構築することができる。また、第１刃物収納具１と第２刃物収納具２とを互いに連結させて配置させることができるので、複数の刃物収納具をそれぞれ独立に配置する場合と比べて、第１刃物収納具１と第２刃物収納具２とが全体的にまとまった印象をユーザに与えることができる。これにより、美感に優れた刃物収納具セット５を提供することができる。したがって、ユーザの好み及び使用状況に合わせて刃物収納具を組み合わせることができるとともに、第１刃物収納具１及び第２刃物収納具２を、単に包丁を収納する機能を有する包丁差しから、刃物を収納しつつ遊び心を持ったインテリアに変身させることができる。また、ツバと溝との嵌合により、第１刃物収納具１と第２刃物収納具２との連結角度を自在に変更することができる。これにより、上記の連結角度をユーザの嗜好に合った角度にすることができるので、刃物収納具セット５の美感を向上させることができる。
【００５２】
また、上記刃物収納具セット５では、凸部１４が、第１刃物収納具１の筒部材１１の外側においてｙ軸＋側からｘ軸−側を経由してｙ軸−側にわたって突出するため、第２刃物収納具２における凹部２５と嵌合させる凸部１４の突出方向を、ｙ軸＋側からｘ軸−側を経由してｙ軸−側まで広げ、第１刃物収納具１と第２刃物収納具２との連結角度の変更可能範囲を広げることができる。
【００５３】
また、上記刃物収納具セット５では、凹部２５が、第２刃物収納具２の筒部材１１の外側においてｙ軸＋側からｘ軸＋側を経由してｙ軸−側にわたって形成されるため、凹部２５の形成方向をｙ軸＋側からｘ軸＋側を経由してｙ軸−側まで広げ、第１刃物収納具１と第２刃物収納具２との連結角度の変更可能範囲を広げることができる。
【００５４】
また、上記刃物収納具セット５では、ツバ部材１３は、第１刃物収納具１の長孔１１ａの延びる方向から平面視したときに、第１辺１６ａと、第１刃物収納具１の長孔１１ａを挟んで第１辺１６ａと対向する第２辺１６ｂと、第１辺１６ａと第２辺１６ｂとの間に位置する第３辺１６ｃと、を有し、第１辺１６ａと第２辺１６ｂとの間の距離は、第３辺１６ｃに近づくにしたがって大きくなる。これにより、第１刃物収納具１を横向きにして台などに載置させる際に、長さの長い第３辺１６ｃを当該台に当接させることができるので、第２刃物収納具２と連結させなくても第１刃物収納具１を横向きにして台の上に安定的に載置させることができる。また、第１刃物収納具１と第２刃物収納具２とが連結された状態でも、長さの長い第３辺１６ｃを当該台に当接させ、刃物収納具セット５を横向きにして台の上に安定的に載置させることができる。
【００５５】
また、上記刃物収納具セット５では、凸部１４及び２４が略水平に突出し、凹部１５及び２５が略水平に形成されるため、水平に突出したツバと水平に形成された溝との嵌合により、例えば、第１刃物収納具１と第２刃物収納具２とを台上に自立させた状態で第１刃物収納具１と第２刃物収納具２との連結角度を自在に変更することができる。これにより、例えば、第１刃物収納具１及び第２刃物収納具２を美感の優れた連結角度で台の上に安定的に載置させることができる。
【００５６】
また、上記刃物収納具セット５では、凸部２４ａが、第２刃物収納具２の長孔１１ａの延びる方向と交わる方向へ第２刃物収納具２の筒部材１１からツバ状に突出し、凸部２４ｂが、凸部２４ａが突出する方向と略同じ方向へ、凸部２４ａと略平行にツバ状に突出し、凹部２５ａが、凸部２４ａと凸部２４ｂとの間に形成される。これにより、凹部２５ａだけでなく、凸部２４ａ及び２４ｂも第１刃物収納具１の凹部１５ａ及び１５ｂ凹部との嵌合にそれぞれ用いることができるので、第１刃物収納具１との連結を強固にすることができる。また、略平行に並んだ凸部２４ａ及び２４ｂによってヒダ状の外観が形成され、刃物収納具セット５の美観を向上させることができる。
【００５７】
また、上記刃物収納具セット５では、凸部１４ｂがツバ状であり、凸部１４ａが、凸部１４ｂが突出する方向と略同じ方向へ、凸部１４ｂと略平行にツバ状に突出し、凹部１５ａが、凸部１４ｂと凸部１４ａとの間に溝状に形成される。これにより、凸部１４ｂだけでなく、凹部１５ａも第２刃物収納具２の凸部２４ａとの嵌合に用いることができるので、第２刃物収納具２との連結を強固にすることができる。また、略平行に並んだ凸部１４ａ及び１４ｂによってヒダ状の外観が形成され、刃物収納具セット５の美観を向上させることができる。
【００５８】
また、上記刃物収納具セット５では、第１刃物収納具１の筒部材１１の底面１１ｃから凸部１４ｂまでの距離と、第２刃物収納具２の筒部材１１の底面１１ｃから凹部２５ａまでの距離とが略同じであるため、第１刃物収納具１と第２刃物収納具２とを連結したときに、第１刃物収納具１の筒部材１１の底面１１ｃと及び第２刃物収納具２の筒部材１１の底面１１ｃとを揃えることができるので、第１刃物収納具１及び第２刃物収納具２を安定的に自立させることができる。また、例えば、第１刃物収納具１及び第２刃物収納具２を寝かして配置するときも、これらの刃物収納具を壁際にコンパクトに配置することができる。また、各底面１１ｃが揃っていることによって全体的に整った印象をユーザに与えることができるので、これら刃物収納具セット５の美感を向上させることができる。
【００５９】
＜３．補足事項＞
以上、本発明の実施形態及び変形例についての具体的な説明を行った。上記説明は、あくまで一構成例及び一作動例としての説明であって、本発明の範囲はこれらの実施形態及び変形例に留まらず、同様の技術思想に基づいて当業者が把握可能な範囲にまで広く解釈されるものである。
【００６０】
本実施形態の刃物収納具セット５では、包丁が「刃物」の一具体例である構成について説明したが、キッチンばさみまたは医療用メスなどが「刃物」の一具体例となる構成であってもよい。
【００６１】
また、本実施形態の第１刃物収納具１では、筒部材１１の長孔１１ａの内部に、包丁を固定するための刃止めが配置される構成であってもよい。具体的には、刃止めは、例えば、弾性部材によって形成され、包丁の刀身を弾性的に挟んで固定する。なお、刃止めは、第２刃物収納具２に配置されてもよい。
【００６２】
また、本実施形態の第１刃物収納具１では、フィンガーレストが筒部材１１に取り付けられる構成であってもよい。具体的には、フィンガーレストは、例えば、指で掴みやすい形状を有し、ユーザがフィンガーレストを摘まんで第１刃物収納具１を移動させやすくすることができる。また、ユーザが一方の手でフィンガーレストをつかみながら、他方の手で包丁の柄をつかむことで、第１刃物収納具１から包丁を取り出しやすくすることができる。なお、フィンガーレストは、第２刃物収納具２に取り付けられてもよい。
【００６３】
また、本実施形態の刃物収納具セット５では、第１刃物収納具１及び第２刃物収納具２を台の上に自立させる構成について説明したが、第１刃物収納具１及び第２刃物収納具２を台の上で寝かせる構成であってもよい。この場合、第１刃物収納具１と第２刃物収納具２とを連結させずに、第１刃物収納具１及び第２刃物収納具２の各々を台の上で寝かせることも可能である。
【００６４】
また、本実施形態の刃物収納具セット５では、第１刃物収納具１と第２刃物収納具２とが連結される構成について説明したが、第３の刃物収納具が、第１刃物収納具１または第２刃物収納具２にさらに連結される構成であってもよい。つまり、刃物収納具セット５は、２つの刃物収納具を備える構成に限らず、３つ以上の刃物収納具を備える構成であってもよい。
【産業上の利用可能性】
【００６５】
本発明の刃物収納具セットは、刃物を収納する装置などとして好適に適用される。
【符号の説明】
【００６６】
１…第１刃物収納具
２…第２刃物収納具
３…第１包丁
４…第２包丁
５…刃物収納具セット
１１…筒部材
１１ａ…長孔
１１ｂ…上面
１１ｃ…底面
１２…第１ツバ群
１３ａ、１３ｂ、１３ｃ、１３ｄ…ツバ部材
１４ａ、１４ｂ、１４ｃ、１４ｄ…凸部
１５ａ、１５ｂ、１５ｃ…凹部
１６ａ…第１辺
１６ｂ…第２辺
１６ｃ…第３辺
１６ｄ…第４辺
２２…第２ツバ群
２３ａ、２３ｂ、２３ｃ、２３ｄ…ツバ部材
２４ａ、２４ｂ、２４ｃ、２４ｄ…凸部
２５ａ、２５ｂ、２５ｃ…凹部
２６ａ…第１辺
２６ｂ…第２辺
２６ｃ…第３辺
２６ｄ…第４辺
１００…台所用品
【要約】
刃物収納具セットは、第１の刃物収納具および第２の刃物収納具を備える刃物収納具セットであって、前記第１の刃物収納具は、刃物の刀身を収納する第１の孔が形成された第１のケースと、前記第１の孔の延びる方向と交わる方向へ前記第１のケースから突出するツバ状の第１凸部と、を有し、前記第２の刃物収納具は、刃物の刀身を収納する第２の孔が形成された第２のケースと、前記第２の孔の延びる方向と交わる方向へ向き、前記第１凸部と嵌合可能な形状を有する溝状の第１凹部と、を有する。【図１】
0006688948.tif 000002
【図２】
0006688948.tif 000003
【図３】
0006688948.tif 000004
【図４】
0006688948.tif 000005
【図５】
0006688948.tif 000006
【図６】
0006688948.tif 000007
【図７】
0006688948.tif 000008